【事件の表示】
　特許第２８６４０３０号「写真機」の特許に対する特許異議の申立てについて、次のとおり決定する。
【結　論】
　訂正を認める。
　特許第２８６４０３０号の特許を維持する。
【理　由】
（１）手続の経緯
　特許第２８６４０３０号の請求項１に係る発明は、平成１年１１月１６日の出願であって、平成１０年１２月１８日に設定登録がなされ、その後、旭光学工業株式会社より異議申立がなされ、取消理由が通知され、その指定期間内である平成１２年２月４日に訂正請求がなされたものである。　
（２）訂正の適否についての判断
　（ア）訂正明細書の請求項１に係る発明
　訂正明細書の請求項１に係る発明は、その特許請求の範囲の請求項１に記載された次の事項により特定されるとおりのものである。
「写真を見れば当該写真のあるフィルムやコマの順番、撮影の順番がわかるようにするために、シャッターやフィルム巻上用、巻戻し用のモータを制御するカメラ制御部からの空送パルス信号を受けてフィルム番号を計数するデータ制御部のフィルム数計数手段と、カメラ制御部からのコマパルス信号を受けてコマ数を計数するデータ制御部のコマ数計数手段と、これらフィルム数計数手段とコマ数計数手段とからの信号とカメラ制御部の撮影信号とを受けてフィルム番号とコマ番号とをフィルムに投影する投影器とを設けたことを特徴とする写真機。」（以下、「本件請求項１に係る発明」という。）　
　（イ）訂正の内容
　訂正事項ａ
　特許請求の範囲の記載の冒頭に「写真を見れば当該写真のあるフィルムやコマの順番、撮影の順番がわかるようにするために、」を加入する。
　訂正事項ｂ
　明細書第２頁第１１行目（特許第２８６４０３０号公報第２頁左欄第２０行目）における「シャッターやフィルム巻上用、」の前に、「写真を見れば当該写真のあるフィルムやコマの順番、撮影の順番がわかるようにするために、」を加入する。　
　（ウ）訂正の目的の適否、新規事項の有無及び拡張・変更の存否
　訂正事項ａに係る訂正は、特許請求の範囲の減縮および、明瞭でない記載の釈明に該当し、実質的に特許請求の範囲を拡張又は変更するものではないし、新規事項の追加にも該当しない。
　訂正事項ｂに係る訂正は、明瞭でない記載の釈明に該当し、実質的に特許請求の範囲を拡張又は変更するものではないし、新規事項の追加にも該当しない。　
　（エ）独立特許要件の判断
　特許法第３６条第４項違反についての判断
　当審が通知した取消理由は、本件特許の請求項１の記載は、単に「フィルム番号とコマ番号をフィルムに投影する投影器」というのみであり、被写体像に重ならない位置、例えば撮影コマの枠外に写し込む可能性を排除していない。そして、撮影コマの枠外にフィルム番号とコマ番号を投影する場合には、本件特許発明の作用効果を得ることができない。よって、請求項１の記載は不備があるので、特許法第３６条第４項に規定する要件を満たしていないというものであるが、今回の訂正で、前記明細書の記載不備については、解消した。　
　（オ）むすび
　したがって、上記訂正請求は、特許法第１２０条の４第２項、同条第３項で規定する訂正について、特許法等の一部を改正する法律（平成６年法律第１１６号）附則第６条第１項の規定によりなお従前の例によるとされる、改正前の特許法第１２６条第１項ただし書、同条第２項および第３項の規定に適合するので、当該訂正を認める。
（３）特許異議の申立について
　（ア）申立の理由の概要
　申立人旭光学工業株式会社は、上記「（２）、（エ）独立特許要件の判断」において示されたとおりの理由により、本件特許は、明細書の記載が、特許法第３６条第４項に規定する要件を満たしていないので、特許を取り消すべきである旨主張している。
　（イ）判断
　平成１２年２月４日付の訂正請求で、明細書の記載不備については、解消した。　
　（ウ）むすび
　したがって、特許異議申立の理由によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１２年２月２３日（２０００．２．２３）
【訂正の要旨】
　　　　　　　　　　　　　（訂正の要旨）
　訂正事項ａ
　特許請求の範囲の記載の冒頭に「写真を見れば当該写真のあるフィルムやコマの順番、撮影の順番がわかるようにするために、」を加入する。
　訂正事項ｂ
　明細書第２頁第１１行目（特許第２８６４０３０号公報第２頁左欄第２０行目）における「シャッターやフィルム巻上用、」の前に、「写真を見れば当該写真のあるフィルムやコマの順番、撮影の順番がわかるようにするために、」を加入する。
（５４）【発明の名称】
写真機
（５７）【特許請求の範囲】
　
写真を見れば当該写真のあるフィルムやコマの順番、撮影の順番がわかるようにするために、
【発明の詳細な説明】
〔産業上の利用分野〕
　本発明は、写真機に関する。
〔従来の技術〕
　写真機は、周知のごとく被写体の像を感光材料であるフィルムに投影するもので、このフィルムに投影した像を現像処理してネガを得、これを印画紙に焼付けて印画、すなわち通常、写真と称せられているものを得ている。
　ところで、写真は旅行その他の行事等の記録として保存する場合が多く、その撮影年月日は旅行等の日付データとして記録することが多いが、この記録手段として、従来、例えば写真機内に年月日の計数手段や投影器を組込んで、計数手段で計数された当該撮影年月日を投影器によりフィルムに投影し、写真の隅部などに年月日を示す数字を被写体の像といっしょに焼付けるようにしている。
〔発明が解決しようとする課題〕
　このように写真に焼付けられるデータは撮影年月日だけであるため、例えば、同日に複数本のフィルムを使用した場合は、どのフィルムもデータとしては同じ年月日が投影されるだけであり、このデータからは使用フィルムの順番はわからず、後日、写真整理などを行う際、使用フィルムの順番の決定は撮影者の記憶などによっており、面倒であるばかりか、順番を間違えるおそれもある。
　また、１本のフィルムに対しても焼付けられた写真からは撮影の順番がわからず、これを知るには写真を１枚ずつネガと対比させるより他に方法がなく、整理を行う場合はもちろんのこと、写真の焼増しを行う場合などに当該写真に対応するコマを長いフィルムの中から見つけ出す作業を要し、面倒なものである。
　本発明の目的は前記従来例の不都合を解消し、同日に複数本のフィルムを使用した場合に、使用フィルムの順番が一目でわかり、また、１本ずつのフィルムに対しても焼付けられた写真を見るだけで写真からコマの順番、撮影の順番が一目でわかって、写真整理や焼き増しなどの作業が楽に行え、そのための構造も簡単なもので足りる写真機を提供することにある。
〔課題を解決するための手段〕
　本発明は前記目的を達成するため、
写真を見れば当該写真のあるフィルムやコマの順番、撮影の順番がわかるようにするために、
〔作用〕
　本発明によれば、シャッターを押せばカメラ制御部からの空送パルス信号を受けて使用フィルムの数がデータ制御部のフィルム数計数手段でカウントされ、使用フィルム番号が投影器によりフィルムの各コマに投影されて写真に焼付けられる。同時にカメラ制御部からのコマパルス信号を受けて各フィルムのコマ数がコマ数計数手段でカウントされ、コマ番号が投影器によりフィルムの各コマに投影され写真に焼付けられる。よって同日に複数本のフィルムを使用する時は、各フィルムに通しのフィルム番号を投影することで、使用フィルムの順番はもちろんのこと、このフィルム番号が焼付けられた写真を見れば当該写真のあるフィルムやコマの順番、撮影の順番がわかる。
〔実施例〕
　以下、図面について本発明の実施例を詳細に説明する。
　第１図は本発明の写真機の実施例を示す裏蓋を開いた状態の背面図、第２図は同上背面図で、図中１は写真機のボデー、２は該ボデーに開閉自在に設けた裏蓋を示し、ボデー１内には従来周知のごとく一方の端、図示の例では左側にフィルムの装▼填▲室３が形成され、他方の端である右側にはフィルム巻取ローラ４と送り用スプロケット７とが設けてある。図中５はフィルム巻上用のモータ、６はフィルム巻戻し用のモータを示す。
　また、ボデー１のほぼ中央にはレンズ（図示せず）に対応する位置にシャッター８が配設してあり、ボデー１の上部右側にシャッター釦９が設けてあり、背面上部にはファインダー１０、ボデー１内の適宜個所、例えば下部にモータ５，６や後述の表示器などを駆動するための水銀電池などによる電源部１１が設けてある。
　図中１２はフィルム巻戻し用の戻し釦を示す。
　かかる写真機において、ボデー１の外面の適宜個所、図示の例では背面上部にフィルムのコマ番号表示器１３を設け、またその下方右側に撮影年月日表示部１４ａと使用フィルムのフィルム番号とコマ番号との表示部１４ｂとで構成される表示器１４とを設けた。
　そして、裏蓋２の内側に被写体の像や撮影年月日やフィルム番号、コマ番号をフィルムに投影するための投影器１５を取付ける。
　図中１５ａは投影器１５に設けた撮影の年月日投影部、１５ｂはフィルム番号コマ番号投影部を示す。また、図中１８は年月日の修正釦、１９はフィルム番号のリセット釦、２０，２１はそれぞれ年月日とフィルム番号コマ番号の表示オンオフ釦を示す。
　以上のようにして、モータ５，６やシャッター８などの制御を行うカメラ制御部１６とフィルム番号、コマ番号、撮影年月日などのデータ制御を行うデータ制御部１７とをボデー１内に設けた。
　第３図は、このカメラ制御とデータ制御のブロック図を示し、カメラ制御部１６、データ制御部１７ともに例えば従来周知のマイクロコンピュータを使用するものとし、シャッター釦９、戻し釦１２からの出力信号をカメラ制御部１６に導入し、カメラ制御部１６からの出力信号を撮影信号としてシャッター８と投影器作動手段２４とに巻戻しパルス信号として巻戻し用のモータ６にリセット信号としてコマ数計数手段３１に、また巻上げパルス信号として巻上用のモータ５に導入し、さらに、空送りパルス信号として前記巻上用のモータ５とデータ制御部１７のフィルム数計数手段２２とに、コマ数計数パルス信号としてコマ数計数手段３１とに導入した。
　また、クオーツ２５と修正釦１８からの出力信号を年月日計数手段２６に導入し、該年月日計数手段２６からの出力信号を年月日の表示オンオフ釦２０からのオンオフ信号が導入される年月日表示駆動手段２７に導入し、ここからの出力信号を投影器作動手段２４と表示器１４の撮影年月日表示部１４ａとに導入する。
　一方、リセット釦１９からのリセット信号が導入されるフィルム数計数手段２２からの出力信号とコマ数計数手段３１からの出力信号とをフィルム番号コマ番号表示駆動手段２３に導入し、ここからの出力信号を投影器作動手段２４と表示器１４のフィルム番号コマ番号表示部１４ｂとに導入し、投影器作動手段２４からの出力信号を投影器１５の年月日投影部１５ａとフィルム番号コマ番号投影部１５ｂとに導入した。
　また、コマ数計数手段３１からのコマ番号の表示信号をコマ番号表示器１３に導入し、フィルム番号コマ番号の表示オンオフ釦２１からのオンオフ信号はフィルム番号コマ番号表示駆動手段２３に導入した。
　次に使用法及び動作について説明する。
　撮影を行うには、まず写真機の裏蓋２を開いてフィルムを装▼填▲室３にセットし、フィルムの先端を少し繰り出してフィルム送り用スプロケット７にフィルムサイドの孔を係合したのちフィルム先端をフィルム巻取ローラ４に巻き付ける。
　この状態で裏蓋２を閉めてシャッター釦９を押せば、カメラ制御部１６から巻上げパルス信号が巻上用のモータ５に入り、モータ５が駆動してフィルムをコマ番号「１」まで空送りする。
　同時にカメラ制御部１６からフィルム数計数手段２２へは空送りパルス信号がワンパルス出力され、この信号によりフィルム数計数手段２２ではフィルム数が「１」と計数され、ここからフィルム番号コマ番号表示駆動手段２３へ「フィルム番号１」として出力される。
　また、カメラ制御部１６からコマ数計数手段３１へコマパルス信号がワンパルス出力され、この信号によりコマ数計数手段３１ではコマ数が「１」と計数され、ここからフィルム番号コマ番号表示駆動装置手段２３へ「コマ番号１」として出力され、該フィルム番号コマ番号表示駆動手段２３から表示器１４へ出力され、そのフィルム番号とコマ番号との表示部１４ｂに例えば１本目のフィルムの１コマ目として「１−１」のようにしてフィルム番号とコマ番号とが表示される。
　前記コマ数計数手段３１からのコマ数表示信号はコマ番号表示器１３にも出力され、ここにコマ番号として「０１」が表示される。
　他方、年月日計数手段２６で計数されている当該年月日を示す数値が年月日表示駆動手段２７を介して表示器１４の撮影年月日表示部１４ａに出力され、ここに１９８９年１０月１３日の場合は「８９，１０，１３」のように表示される。
　この状態で、写真機のレンズを被写体に向けシャッター釦９を押せば、カメラ制御部１６の働きでシャッター８が切れ、撮影信号が投影器作動手段２４に出力され、該投影器作動手段２４ではこのカメラ制御部１６からの信号とフィルム番号コマ番号表示駆動手段２３及び年月日表示駆動手段２７からの信号を受けて投影器１５に出力し、被写体の像とともに撮影年月日投影部１５ａにより例えば「８９，１０，１３」の数字を、フィルム番号コマ番号投影部１５ｂにより「１−１」の数字をそれぞれフィルムに同時に投影する。
　このようにしてフィルムの１コマ目の撮影が終了すると、フィルム巻上用のモータ５が回転して、フィルムが１コマ分フィルム巻取ローラ４に巻上げられ、カメラ制御部１６からコマ数計数手段３１にパルス信号が出力し、計数されコマ番号表示器１３に「０２」と表示されるとともにフィルム番号コマ番号表示駆動手段２３から表示器１４のフィルム番号とコマ番号との表示部１４ｂに出力されてここに１本目のフィルムの２コマ目である旨を「１−２」として表示する。
　そして、この状態でシャッター釦９を押して被写体を撮影すれば、投影器作動手段２４の働きで被写体の像とともにフィルム番号コマ番号「１−２」及び年月日「８９，１０，１３」がフィルムの２コマ目に投影される。
　以上のようにして１本目のフィルムの最終コマまで撮影を行い戻し釦１２を押せば、カメラ制御部１６から巻戻しパルス信号が巻戻し用のモータ６に出力され、該モータ６が回転してフィルム巻取ローラ４に巻取られていたフィルムが装▼填▲室３側のフィルムケースに巻戻される。
　そして、カメラ制御部１６からのリセット信号によりコマ数計数手段３１の計数値が帰零され、表示器１３，１４に表示されていたコマ数はリセットされ「１−０」の表示となる。
　次に、例えば同日に次の２本目のフィルムを続けて使用する場合は、この１本目のフィルムをボデー１から取出して、２本目のフィルムを装▼填▲室３にセットし、１本目のフィルムの場合と同様にしてシャッター釦９を押してフィルムをコマ数「１」まで空送りすれば、この空送りパルス信号によりフィルム数計数手段２２ではフィルムが２本目であることを計数し、表示器１４のフィルム番号とコマ番号との表示部１４ｂに２本目のフィルムの１コマ目であることを「２−１」として表示する。
　この状態でシャッター釦９を押して被写体を撮影すれば、フィルムには撮影年月日として「８９，１０，１３」の数字が、フィルム番号コマ番号として「２−１」の数字が被写体の像とともに投影される。
　以上のようにして同日に複数本のフィルムを使用する場合は、フィルム番号及びコマ番号が「３〜１０」のように表示され、かかる番号は第４図に示すように印画紙２８にも被写体の像２９とともにデータ表示３０として右下隣などに記される。
　撮影年月日が異なる場合などに、フィルム番号をリセットするにはリセット釦１９を押せば、ここからのリセット信号がフィルム数計数手段２２に入りフィルム数がリセットされる。
　また、日付の初期設定や電池交換時などに年月日の修正を行うには修正釦１８を押せばよく、さらにフィルム番号やコマ番号、年月日の表示器１４への表示や投影器１５への投影のオンオフは表示オンオフ釦２０，２１により行う。
〔発明の効果〕
　以上述べたように本発明の写真機は、複数本のフィルムを使用する場合に、その使用フィルムの使用順番と各フィルムのコマ番号とを被写体の像とともに投影するようにしたので、例えば同日に複数本のフィルムを使用したとき、使用順が１目でわかるだけでなく、焼付けられた写真がどのフィルムの何コマ目にあるのかすぐにわかり、ネガとポジの対応が容易にでき、撮影の順番や焼増しを行う場合に当該写真に対応するフィルムのコマが容易にわかり、しかも、そのための構造も簡単なものである。
【図面の簡単な説明】
　第１図は本発明の写真機の実施例を示す裏蓋を用いた状態の背面図、第２図は同上背面図、第３図は制御ブロック図、第４図は印画の正面図である。
　１…ボデー　　　　　　　　　　　　　　　２…裏蓋
　３…装▼填▲室　　　　　　　　　　　　　４…フィルム巻取ローラ
　５…フィルム巻上用のモータ　　　　　　　６…フィルム巻戻し用のモータ
　７…送り用スプロケット　　　　　　　　　８…シャッター
　９…シャッター釦　　　　　　　　　　　　１０…ファインダー
　１１…電源部　　　　　　　　　　　　　　１２…戻し釦
　１３…コマ番号表示器　　　　　　　　　　１４…表示器
　１４ａ…撮影年月日表示部
　１４ｂ…フィルム番号とコマ番号との表示部
　１５…投影器　　　　　　　　　　　　　　１５ａ…年月日投影部
　１５ｂ…フィルムの番号コマ番号投影部
　１６…カメラ制御部　　　　　　　　　　　１７…データ制御部
　１８…修正釦　　　　　　　　　　　　　　１９…リセット釦
　２０…年月日の表示オン、オフ釦
　２１…フィルム番号コマ番号の表示オンオフ釦
　２２…フィルム数計数手段
　２３…フィルム番号コマ番号表示駆動手段
　２４…投影器作動手段　　　　　　　　　　２５…クオーツ
　２６…年月日計数手段　　　　　　　　　　２７…年月日表示駆動手段
　２８…印画紙　　　　　　　　　　　　　　２９…像
　３０…データ表示　　　　　　　　　　　　３１…コマ数計数手段